(57)【要約】【課題】利便性の高い電子天びん、および当該電子天びんを備えた重量測定システムを提供する。【解決手段】電子天びん１０は、複数種類の試料を調合する際のレシピを記憶する記憶部１１１と、記憶部１１１によって記憶されたレシピに基づき重量の目標値を表示する表示部１１８と、試料の重量を測定する測定部１１５と、外部装置５０と通信する通信部１１３とを備え、通信部１１３は、ユーザによって入力されたレシピを外部装置５０との間の通信によって取得し、記憶部１１１は、通信部１１３によって取得された外部装置５０からのレシピを記憶する。【選択図】図１
2020038079.tif 000002
【特許請求の範囲】
【請求項１】
試料の重量を測定する電子天びんであって、
複数種類の前記試料を調合する際の各前記試料における重量の目標値を記憶する記憶部と、
前記記憶部によって記憶された前記目標値を表示する表示部と、
前記試料の重量を測定する測定部と、
外部装置と通信する通信部とを備え、
前記通信部は、ユーザによって入力された前記目標値を前記外部装置との間の通信によって取得し、
前記記憶部は、前記通信部によって取得された前記外部装置からの前記目標値を記憶する、電子天びん。
【請求項２】
前記表示部は、複数種類の前記試料のうちの一の試料の前記目標値を表示し、
前記測定部は、前記一の試料を測定して測定結果が適正であるか否かを判定し、
その後、前記表示部は、複数種類の前記試料のうちの他の試料の前記目標値を表示し、
前記測定部は、前記他の試料を測定して測定結果が適正であるか否かを判定する、請求項１に記載の電子天びん。
【請求項３】
前記通信部は、前記測定部によって得られた測定結果を特定する情報を前記外部装置に送信する、請求項１または請求項２に記載の電子天びん。
【請求項４】
前記通信部は、前記測定結果を特定する情報を、前記目標値を特定する情報とともに前記外部装置に送信する、請求項３に記載の電子天びん。
【請求項５】
前記通信部は、前記測定結果を特定する情報を、測定日時を特定する情報、前記電子天びんが有する固有の識別情報、およびユーザを特定する情報の少なくともいずれかとともに前記外部装置に送信する、請求項３または請求項４に記載の電子天びん。
【請求項６】
試料の重量を測定する重量測定システムであって、
前記試料の重量を測定する電子天びんと、
前記電子天びんと通信する外部装置とを備え、
前記電子天びんは、
複数種類の前記試料を調合する際の各前記試料における重量の目標値を記憶する記憶部と、
前記記憶部によって記憶された前記目標値を表示する表示部と、
前記試料の重量を測定する測定部と、
前記外部装置と通信する通信部とを含み、
前記外部装置は、
ユーザによって入力された前記目標値を受け付ける受付部を含み、
前記受付部によって受け付けられた前記目標値を前記電子天びんに送信し、
前記通信部は、ユーザによって入力された前記目標値を前記外部装置との間の通信によって取得し、
前記記憶部は、前記通信部によって取得された前記外部装置からの前記目標値を記憶する、重量測定システム。
【請求項７】
前記通信部は、前記測定部によって得られた測定結果を特定する情報を前記外部装置に送信し、
前記外部装置は、前記電子天びんからの前記測定結果を特定する情報を、前記目標値に対応付けて記憶する、請求項６に記載の重量測定システム。
【請求項８】
前記通信部は、前記測定結果を特定する情報を、前記電子天びんが有する固有の識別情報とともに前記外部装置に送信し、
前記外部装置は、
複数の前記電子天びんとの間で通信し、
複数の前記電子天びんそれぞれからの前記測定結果を特定する情報および前記識別情報を、複数の前記電子天びんそれぞれにおける前記目標値に対応付けて記憶する、請求項７に記載の重量測定システム。
【請求項９】
前記外部装置は、前記電子天びんからの要求に従って前記受付部によって受け付けられた前記目標値を前記電子天びんに送信する、請求項６〜請求項８のいずれか１項に記載の重量測定システム。
【発明の詳細な説明】
【技術分野】
【０００１】
本発明は、試料の重量を測定する電子天びん、および当該電子天びんを備えた重量測定システムに関する。
【背景技術】
【０００２】
従来、試料の重量を測定する電子天びんとして、様々なものが知られている。たとえば、特許文献１（特許第４７７０９２５号公報）には、ユーザが複数の測定モードの中から所望の測定モードを選択することができる電子天びんが開示されている。
【先行技術文献】
【特許文献】
【０００３】
【特許文献１】特許第４７７０９２５号公報
【発明の概要】
【発明が解決しようとする課題】
【０００４】
特許文献１に記載の電子天びんのように、電子天びんに設けられる測定モードとしては様々なものが存在し、たとえば、ユーザによって予め決定された調合情報（レシピ）に従って複数種類の試料を調合するためのレシピ調合モードと呼ばれる測定モードも存在する。レシピ調合モードにおいては、ユーザは、電子天びんのディスプレイを確認しながら、電子天びんのキー部を操作することで電子天びんにレシピを入力することができる。
【０００５】
しかしながら、一般的に電子天びんは持ち運びに便利なように小型であり、その設計上、ディスプレイおよびキー部が設けられる領域は小さく制限されている。このため、ユーザが電子天びんにおいてレシピを入力する際、ディスプレイに表示されたレシピの内容を見誤ったり、キー部の操作を間違ったりする虞がある。その結果、ユーザは、間違ったレシピを入力してしまう虞がある。また、電子天びんの記憶容量には限界があるため、電子天びんが記憶できるレシピの数にも限界がある。
【０００６】
このように、従来の電子天びんは、レシピ調合モードを利用するユーザにとって、必ずしも使い易いものではなく、より利便性の高い電子天びんが求められている。
【０００７】
この発明は、かかる課題を解決するためになされたものであり、その目的は、利便性の高い電子天びん、および当該電子天びんを備えた重量測定システムを提供することである。
【課題を解決するための手段】
【０００８】
本開示のある局面に従う電子天びんは、試料の重量を測定する電子天びんであって、複数種類の試料を調合する際の各試料における重量の目標値を記憶する記憶部と、記憶部によって記憶された目標値を表示する表示部と、試料の重量を測定する測定部と、外部装置と通信する通信部とを備え、通信部は、ユーザによって入力された目標値を外部装置との間の通信によって取得し、記憶部は、通信部によって取得された外部装置からの目標値を記憶する。
【０００９】
上記の構成によれば、電子天びんは、複数種類の試料を調合する際の各試料における重量の目標値を、外部装置との間の通信によって取得して表示することができる。これにより、ユーザは、外部装置に目標値を入力させればよいため、電子天びんにおいて目標値を入力する必要がない。また、ユーザは、電子天びんにおいて目標値を予め記憶させる必要もない。このように、利便性の高い電子天びんが提供される。
【００１０】
好ましくは、表示部は、複数種類の試料のうちの一の試料の目標値を表示し、測定部は、一の試料を測定して測定結果が適正であるか否かを判定し、その後、前記表示部は、複数種類の試料のうちの他の試料の目標値を表示し、測定部は、他の試料を測定して測定結果が適正であるか否かを判定する。
【００１１】
上記の構成によれば、ユーザは、表示部に表示された各試料の目標値に従って試料を順番に測定することで、複数種類の試料を適正に調合することができる。
【００１２】
好ましくは、通信部は、測定部によって得られた測定結果を特定する情報を外部装置に送信する。
【００１３】
上記の構成によれば、測定結果を特定する情報が電子天びんから外部装置に送信されるため、ユーザは、測定結果を外部装置に記憶させて管理することができる。
【００１４】
好ましくは、通信部は、測定結果を特定する情報を、目標値を特定する情報とともに外部装置に送信する。
【００１５】
上記の構成によれば、目標値を特定する情報とともに測定結果を特定する情報が電子天びんから外部装置に送信されるため、ユーザは、目標値とともに測定結果を外部装置に記憶させて管理することができる。
【００１６】
好ましくは、通信部は、測定結果を特定する情報を、測定日時を特定する情報、電子天びんが有する固有の識別情報、およびユーザを特定する情報の少なくともいずれかとともに外部装置に送信する。
【００１７】
上記の構成によれば、測定日時を特定する情報、電子天びんが有する固有の識別情報、およびユーザを特定する情報の少なくともいずれかとともに測定結果を特定する情報が電子天びんから外部装置に送信されるため、ユーザは、測定日時、電子天びんの識別情報、またはユーザの情報とともに測定結果を外部装置に記憶させて管理することができる。
【００１８】
本開示のある局面に従う重量測定システムは、試料の重量を測定する重量測定システムであって、試料の重量を測定する電子天びんと、電子天びんと通信する外部装置とを備え、電子天びんは、複数種類の試料を調合する際の各試料における重量の目標値を記憶する記憶部と、記憶部によって記憶された目標値を表示する表示部と、試料の重量を測定する測定部と、外部装置と通信する通信部とを含み、外部装置は、ユーザによって入力された目標値を受け付ける受付部を含み、受付部によって受け付けられた目標値を電子天びんに送信し、通信部は、ユーザによって入力された目標値を外部装置との間の通信によって取得し、記憶部は、通信部によって取得された外部装置からの目標値を記憶する。
【００１９】
上記の構成によれば、電子天びんは、複数種類の試料を調合する際の各試料における重量の目標値を、外部装置との間の通信によって取得して表示することができる。これにより、ユーザは、外部装置に目標値を入力させればよいため、電子天びんにおいて目標値を入力する必要がない。また、ユーザは、電子天びんにおいて目標値を予め記憶させる必要もない。このように、利便性の高い電子天びんを備えた重量測定システムが提供される。
【００２０】
好ましくは、通信部は、測定部によって得られた測定結果を特定する情報を外部装置に送信し、外部装置は、電子天びんからの測定結果を特定する情報を、目標値に対応付けて記憶する。
【００２１】
上記の構成によれば、電子天びんから送信された測定結果を特定する情報が、目標値に対応付けられて外部装置に記憶されるため、ユーザは、測定結果を目標値に対応付けて外部装置に記憶させて管理することができる。
【００２２】
好ましくは、通信部は、測定結果を特定する情報を、電子天びんが有する固有の識別情報とともに外部装置に送信し、外部装置は、複数の電子天びんとの間で通信し、複数の電子天びんそれぞれからの測定結果を特定する情報および識別情報を、複数の電子天びんそれぞれにおける目標値に対応付けて記憶する。
【００２３】
上記の構成によれば、複数の電子天びんそれぞれから送信された測定結果を特定する情報および電子天びんの識別情報が、目標値に対応付けられて外部装置に記憶されるため、ユーザは、複数の電子天びんごとに、測定結果を目標値に対応付けて外部装置に記憶させて管理することができる。
【００２４】
好ましくは、外部装置は、電子天びんからの要求に従って受付部によって受け付けられた目標値を電子天びんに送信する。
【００２５】
上記の構成によれば、ユーザによって入力された目標値が、電子天びんからの要求に従って外部装置から電子天びんに送信されるため、電子天びんが外部装置から離れた場所に位置する場合でも、ユーザは、外部装置からの目標値を電子天びんに入力させることができる。
【発明の効果】
【００２６】
本発明によれば、利便性の高い電子天びん、および当該電子天びんを備えた重量測定システムを提供することができる。
【図面の簡単な説明】
【００２７】
【図１】本実施形態に係る電子天びんおよび重量測定システムの適用例を説明するための図である。
【図２】本実施形態に係る電子天びんの外観を示す図である。
【図３】本実施形態に係る重量測定システムのハードウェア構成を示す図である。
【図４】本実施形態に係る重量測定システムのソフトウェア構成を示す図である。
【図５】本実施形態に係る重量測定システムにおいて実行されるレシピ設定フェーズにおける処理を説明するためのフローチャートである。
【図６】本実施形態に係る重量測定システムにおいて実行されるレシピ調合フェーズにおける処理を説明するためのフローチャートである。
【図７】本実施形態に係る電子天びんにおいて入力可能なレシピの内容および天びん設定の内容を説明するための図である。
【図８】本実施形態に係る外部装置における測定管理システムの表示の一例を示す図である。
【図９】本実施形態に係る外部装置における記憶内容の変化の一例を示す図である。
【発明を実施するための形態】
【００２８】
本発明の実施の形態について、図面を参照しながら詳細に説明する。なお、図中の同一または相当部分については、同一符号を付してその説明は繰り返さない。
【００２９】
＜適用例＞
図１は、本実施形態に係る電子天びん１０および重量測定システム１の適用例を説明するための図である。図１に示されるように、重量測定システム１は、試料の重量を測定する電子天びん１０と、外部装置５０とを備える。
【００３０】
電子天びん１０は、通信ライン４０を介して外部装置５０との間で通信する。なお、本実施の形態に係る通信ライン４０には、ＲＳ−２３２規格（たとえば、ＲＳ−２３２Ｃ規格）のケーブルが用いられるが、ＵＳＢ（Universal Serial Bus）ケーブルなど、その他のケーブルが用いられてもよい。また、電子天びん１０は、有線を介さずとも、Wi-Fi（登録商標）およびBluetoothなどの無線通信によって電子天びん１０との間で通信を確立してもよい。
【００３１】
外部装置５０は、汎用ＰＣ（personal computer）であり、コンピュータ本体５３と、ディスプレイ５１と、キーボード５２とを備える。本実施の形態においては、外部装置５０は、デスクトップ型のＰＣであるが、ラップトップ型のＰＣ、タブレット型のＰＣ、またはスマートフォンなど、その他の汎用ＰＣであってもよい。
【００３２】
電子天びん１０には、ユーザによって予め決定された調合情報（以下、これを「レシピ」と称する。）に従って複数種類の試料を調合するためのレシピ調合モードが設けられている。レシピには、複数種類の試料を調合する際にユーザが目標とする各試料における重量の目標値が規定されている。ユーザは、レシピ調合モードを選択することで、レシピで規定された各試料における重量の目標値を電子天びん１０のディスプレイ１８に表示させることができる。そして、ユーザは、ディスプレイ１８に表示された各試料の目標値に従って試料を順番に測定することで、複数種類の試料を適正に調合することができる。
【００３３】
一般的に、電子天びんは、持ち運びに便利なように小型であり、その設計上、ディスプレイおよびキー部が設けられる領域は小さく制限されている。このため、ユーザが電子天びんにおいてレシピを入力する際、ディスプレイに表示されたレシピの内容を見誤ったり、キー部の操作を間違ったりする虞がある。その結果、ユーザは、間違ったレシピを入力してしまう虞がある。また、電子天びんの記憶容量には限界があるため、電子天びんが記憶できるレシピの数にも限界がある。
【００３４】
そこで、本実施の形態に係る電子天びん１０は、外部装置５０との間の通信によって、外部装置５０において入力されたレシピを外部装置５０から取得してディスプレイ１８に表示するように構成されている。具体的には、以下のような処理によって、電子天びん１０は、外部装置５０からレシピを取得する。
【００３５】
図１（ａ）に示されるように、ユーザは、外部装置５０のディスプレイ５１を確認しながらキーボード５２を操作することで、外部装置５０にレシピを入力することができる。外部装置５０のディスプレイ５１の表示領域は、電子天びん１０のディスプレイ１８の表示領域よりも大きいため、ユーザは、レシピの入力時にレシピの内容を確認し易い。また、外部装置５０のキーボード５２の操作領域は、電子天びん１０のキー部２０の操作領域よりも大きいため、ユーザは、レシピを入力し易い。このため、ユーザは、電子天びん１０からレシピを入力するよりも、外部装置５０からレシピを入力する方が、レシピの入力を間違い難い。
【００３６】
図１（ｂ）に示されるように、外部装置５０は、ユーザによって入力されたレシピを受け付け、受け付けたレシピを記憶する。図１（ｃ）に示されるように、外部装置５０は、通信ライン４０を介して、記憶したレシピを電子天びん１０に送信する。
【００３７】
一方、図１（ｄ）に示されるように、電子天びん１０は、通信ライン４０を介して外部装置５０から取得したレシピを記憶する。図１（ｅ）に示されるように、電子天びん１０は、記憶したレシピをディスプレイ１８に表示する。図１（ｆ）に示されるように、電子天びん１０は、レシピと、電子天びん１０の測定機能に関する設定（以下、これを「天びん設定」とも称する。）とに基づき、レシピ調合モードにおいて試料の重量を測定する。図１（ｇ）に示されるように、電子天びん１０は、通信ライン４０を介して、測定結果を特定する情報を、測定時に用いたレシピを特定する情報および天びん設定を特定する情報とともに外部装置５０に送信する。
【００３８】
一方、図１（ｈ）に示されるように、外部装置５０は、通信ライン４０を介して電子天びん１０から測定結果、レシピ、および天びん設定を取得し、レシピおよび天びん設定に対応付けて測定結果を記憶する。
【００３９】
このように、電子天びん１０は、複数種類の試料を調合する際のレシピを、外部装置５０との間の通信によって取得して表示することができる。これにより、ユーザは、外部装置５０にレシピを入力させればよいため、電子天びん１０においてレシピを入力する必要がない。また、ユーザは、電子天びん１０においてレシピを予め記憶させる必要もない。このように、利便性の高い電子天びん１０、および当該電子天びん１０を備えた重量測定システム１が提供される。
【００４０】
さらに、外部装置５０は、複数の電子天びん１０との間で通信することが可能である。たとえば、図１に示す例では、外部装置５０は、通信ライン４０ａを介して電子天びん１０ａに接続され、通信ライン４０ｂを介して電子天びん１０ｂに接続され、通信ライン４０ｃを介して電子天びん１０ｃに接続される。外部装置５０は、各電子天びん１０のそれぞれに対してレシピを送信したり、各電子天びん１０のそれぞれからレシピおよび天びん設定とともに測定結果を受信したりする。
【００４１】
これにより、外部装置５０は、各電子天びん１０のそれぞれにおいて得られた測定結果を、各電子天びん１０のそれぞれにおいて用いられたレシピに対応付けて、複数の電子天びん１０ごとに、一元管理することができる。
【００４２】
＜電子天びん１０および重量測定システム１の構成＞
図２〜図４を参照しながら、電子天びん１０および重量測定システム１の構成について説明する。
【００４３】
［電子天びん１０の外観］
図２は、本実施形態に係る電子天びん１０の外観を示す図である。なお、本実施の形態に係る電子天びん１０は、電磁力を利用して試料の重量を測定する電磁式の天びんであるが、荷重によってたわむ起歪体を利用して試料の重量を測定するロードセル式の天びんであってもよいし、音叉を利用して試料の重量を測定する音叉式の天びんであってもよい。
【００４４】
図２に示されるように、電子天びん１０は、風よけとなる風防ケース１１内において、秤量室１２が設けられている。秤量室１２には、円形の秤量皿１４と、秤量皿１４を周方向に取り囲むシールドプレート１３と、イオナイザ用取付口１６とが設けられている。
【００４５】
秤量皿１４下部の筐体内には、重量センサ１５が内蔵されており、秤量皿１４に試料が載せられると、秤量皿１４に掛かる荷重が重量センサ１５によって検出されることで、試料の重量が測定される。シールドプレート１３は、秤量室１２に生じる対流を防止するプレートである。イオナイザ用取付口１６は、図示しないイオナイザを取り付けるための取付口である。イオナイザは、イオンを照射することで秤量室１２に生じる静電気を除去する装置であり、必要に応じて使用される。
【００４６】
電子天びん１０の底部には、電子天びん１０を水平に設置するための水平調整足１７が設けられている。なお、図示は省略するが、水平調整足１７は、電子天びん１０の底部において左右２箇所に設けられている。ユーザは、水準器３２を確認しながら左右の水平調整足１７を操作することで、電子天びん１０を水平に設置することができる。
【００４７】
電子天びん１０の前面側には、操作パネル１９が設けられている。操作パネル１９は、ディスプレイ１８と、複数の操作キーを含むキー部２０と、水準器３２とを含む。
【００４８】
ディスプレイ１８は、試料の測定に関する様々な画像を表示する。たとえば、図２においてはレシピ調合モードにおける測定時の画面が示されている。具体的には、ディスプレイ１８の画面上側には、ページ番号１８１と、試料番号１８２と、目標値１８３とが表示される。ディスプレイ１８の画面中央には、測定結果１８４が表示される。ディスプレイ１８の画面左側には、安定マーク１８５が表示される。安定マーク１８５は、秤量皿１４に載せられた試料などの測定が安定していることを示すマークである。なお、風袋とは、秤量皿１４に試料が載せられる際に用いられる、試料の下に敷く容器または袋などのことである。
【００４９】
ディスプレイ１８の画面右側には、インジケータ１８６と、判定ボックス１８７と、矢印１８８とが表示される。インジケータ１８６は、測定結果と目標値との乖離を示すものであり、測定結果と目標値との差に応じて矢印１８８がインジケータ１８６に沿って上下に移動する。たとえば、測定値と目標値とが一致する場合、矢印１８８がインジケータ１８６の中央を指し示す。測定値が目標値よりも大きい場合、矢印１８８がインジケータ１８６の中央よりも上の位置を指し示す。測定値が目標値よりも小さい場合、矢印１８８がインジケータ１８６の中央よりも下の位置を指し示す。判定ボックス１８７は、測定値と目標値との差が予め設定された許容範囲内であるか否かを示すものである。たとえば、測定値と目標値との差が許容範囲内である場合、判定ボックス１８７には「ＯＫ」の文字が示される。測定値と目標値との差が許容範囲外である場合、判定ボックス１８７には「ＮＧ」の文字が示される。
【００５０】
ディスプレイ１８の画面下側には、インジケータ１８９と、矢印１９０とが表示される。インジケータ１８９は、試料の測定における応答性および安定性の設定値を示すものであり、安定性および応答性の設定値に応じて矢印１９０がインジケータ１８９に沿って左右に移動する。安定性とは、測定結果の変動が少なく安定している度合である。応答性とは、秤量皿１４に載せられた試料の重量変化にすばやく反応する度合である。安定性と応答性とはトレードオフの関係にある。たとえば、安定性の設定値と応答性の設定値とが均衡である場合、矢印１９０がインジケータ１８９の中央の位置を指し示す。安定性の設定値が応答性の設定値よりも大きい場合（安定性が応答性よりも重要視される場合）、矢印１９０がインジケータ１８９の中央よりも右側の位置を指し示す。応答性の設定値が安定性の設定値よりも大きい場合（応答性が安定性よりも重要視される場合）、矢印１９０がインジケータ１８９の中央よりも左側の位置を指し示す。なお、本実施の形態においては、安定性および応答性の設定値を数値によって表わすこともできる。たとえば、安定性が４かつ応答性が０の場合には安定性が最も重要視され、安定性が０かつ応答性が４の場合には応答性が最も重要視され、安定性が２かつ応答性が２の場合には安定性と応答性とが均衡となる。
【００５１】
さらに、ディスプレイ１８の画面下側には、確定アイコン１９１が表示される。確定アイコン１９１は、次工程の画面に移行するためのアイコンである。
【００５２】
なお、図２に示すディスプレイ１８の表示態様は、一例であり、その他の表示態様によって様々な画像がディスプレイ１８に表示される。
【００５３】
キー部２０は、複数の操作キーを含む。具体的には、ディスプレイ１８の下方には、電源スイッチキー２１、表示切替キー２２、感度校正キー２３、印刷キー２４、ゼロ設定・風袋引きキー２５、メニューキー２６、およびイオナイザ設定キー２７が設けられている。また、ディスプレイ１８の右側には、アップキー２８、ダウンキー２９、レフトキー３０、ライトキー３１、およびＯＫキー３３が設けられている。なお、感度校正とは、電子天びん１０に内蔵された図示しない分銅を用いて、電子天びん１０における感度のずれを調整および確認する処理である。
【００５４】
一般測定モードの場合、ユーザは、まず、風袋を秤量皿１４の上に載せ、風袋の測定が安定して安定マーク１８５が表示されると、ゼロ設定・風袋引きキー２５を操作する。これにより、風袋引きが行われる。風袋引きとは、秤量皿１４の上に載せられた風袋の重量を差し引いて測定結果１８４の表示を「０」にすることで、試料の重量のみを測定結果１８４の表示に反映させることである。次に、ユーザは、風袋に入れた試料を秤量皿１４の上に載せ、試料の測定が安定して安定マーク１８５が表示されると、そのときにディスプレイ１８に表示された測定結果を読み取る。あるいは、ユーザは、印刷キー２４を操作することで測定結果を印刷する。このようにして、ユーザは、電子天びん１０を用いて試料の重量を測定することができる。
【００５５】
レシピ調合モードの場合、ユーザは、予めレシピを登録しなければならない。具体的には、ユーザは、まず、キー部２０を操作してレシピ調合モードを選択する。その後、ユーザは、レシピ名を登録する。そして、ユーザは、調合する試料の全てについて、成分名、単位、目標値、および許容誤差値を入力する。このようにして、ユーザは、ディスプレイ１８を確認しながらキー部２０を操作することで、電子天びん１０にレシピを入力することができる。本実施の形態の場合、ユーザは、電子天びん１０において直接的にレシピを入力する他、外部装置５０においてディスプレイ５１を確認しながらキーボード５２を操作することで、外部装置５０からレシピを入力することができる。外部装置５０において入力されたレシピは、通信ライン４０を介して電子天びん１０に送信され、電子天びん１０において記憶される。
【００５６】
レシピ調合モードにおいて試料を測定する場合、ユーザは、まず、キー部２０を操作してレシピ調合モードを選択する。その後、ユーザは、予め登録していたレシピを選択する。ユーザは、風袋を秤量皿１４の上に載せ、風袋の測定が安定して安定マーク１８５が表示されると、ゼロ設定・風袋引きキー２５を操作する。これにより、風袋引きが行われる。次に、ユーザは、１番目の試料を秤量皿１４の上に載せ、試料の測定が安定して安定マーク１８５が表示されると、そのときにディスプレイ１８に表示された測定結果を読み取ってＯＫキー３３を操作する。次に、ユーザは、２番目の試料を風袋の上に載せ、試料の測定が安定して安定マーク１８５が表示されると、そのときにディスプレイ１８に表示された測定結果を読み取ってＯＫキー３３を操作する。このようにして、ユーザは、３番目以降の試料についても同様に測定する。全ての試料の測定が完了すると、ディスプレイ１８に合計値が表示され、ユーザは、その値を読み取ってＯＫキー３３を操作する。このようにして、ユーザは、電子天びん１０を用いて複数種類の試料を適正に調合することができる。
【００５７】
［重量測定システム１のハードウェア構成］
図３は、本実施形態に係る重量測定システム１のハードウェア構成を示す図である。図３に示されるように、重量測定システム１は、電子天びん１０と、通信ライン４０を介して電子天びん１０と通信する外部装置５０とを備える。
【００５８】
電子天びん１０は、プログラムを実行するＣＰＵ（Central Processing Unit）１００と、データを不揮発的に格納するＲＯＭ（Read Only Memory）１０１と、データを揮発的に格納するＲＡＭ（Random Access Memory）１０２と、通信ライン４０を介して外部装置５０と通信するための通信インターフェイス１０３と、試料などの重量を測定する重量センサ１５と、画像を表示するディスプレイ１８と、ユーザによって操作されるキー部２０とを備え、これら各部が相互に接続されている。
【００５９】
外部装置５０は、プログラムを実行するＣＰＵ５００と、データを不揮発的に格納するＲＯＭ５０１と、データを揮発的に格納するＲＡＭ５０２と、通信ライン４０を介して電子天びん１０と通信するための通信インターフェイス５０３と、画像を表示するディスプレイ５１と、ユーザによって操作されるキーボード５２とを備え、これら各部が相互に接続されている。なお、ＣＰＵ５００、ＲＯＭ５０１、およびＲＡＭ５０２は、図１に示されたコンピュータ本体５３に含まれる。
【００６０】
外部装置５０のディスプレイ５１は、電子天びん１０のディスプレイ１８よりも表示領域が大きく、ユーザは、電子天びん１０のディスプレイ１８よりも外部装置５０のディスプレイ５１の方が見易い。また、外部装置５０のキーボード５２は、電子天びん１０のキー部２０よりも操作領域が大きくかつ操作性がよいため、ユーザは、電子天びん１０のキー部２０よりも外部装置５０のキーボード５２の方が操作し易い。さらに、外部装置５０のＲＯＭ５０１およびＲＡＭ５０２は、電子天びん１０のＲＯＭ１０１およびＲＡＭ１０２よりも記憶容量が大きい。
【００６１】
［重量測定システム１のソフトウェア構成］
図４は、本実施形態に係る重量測定システム１のソフトウェア構成を示す図である。図４に示されるように、電子天びん１０は、主な機能部として、制御部１１０と、表示部１１８と、記憶部１１１と、受付部１１２と、測定部１１５と、通信部１１３とを備える。
【００６２】
制御部１１０は、ＣＰＵ１００の機能に対応する機能部であり、表示部１１８、記憶部１１１、受付部１１２、測定部１１５、および通信部１１３を制御する。表示部１１８は、ディスプレイ１８の機能に対応する機能部であり、画像を表示する。記憶部１１１は、ＲＯＭ１０１またはＲＡＭ１０２の機能に対応する機能部であり、レシピ、天びん設定、および測定結果などの情報を記憶する。受付部１１２は、キー部２０の機能に対応する機能部であり、ユーザによるレシピなどの入力を受け付ける。測定部１１５は、重量センサ１５に対応する機能部であり、試料の重量を測定する。通信部１１３は、通信インターフェイス１０３の機能に対応する機能部であり、通信ライン４０を介して電子天びん１０と外部装置５０との間の通信を確立する。
【００６３】
外部装置５０は、主な機能部として、制御部５１０と、表示部５５１と、記憶部５１１と、受付部５５２と、通信部５１３とを備える。
【００６４】
制御部５１０は、ＣＰＵ５００の機能に対応する機能部であり、表示部５５１、記憶部５１１、受付部５５２、および通信部５１３を制御する。表示部５５１は、ディスプレイ５１の機能に対応する機能部であり、画像を表示する。記憶部５１１は、ＲＯＭ５０１またはＲＡＭ５０２の機能に対応する機能部であり、レシピ、天びん設定、および測定結果などの情報を記憶する。受付部５５２は、キーボード５２の機能に対応する機能部であり、ユーザによるレシピなどの入力を受け付ける。通信部５１３は、通信インターフェイス５０３の機能に対応する機能部であり、通信ライン４０を介して電子天びん１０と外部装置５０との間の通信を確立する。
【００６５】
このような機能を有する重量測定システム１において、外部装置５０は、ユーザによって入力されたレシピ（試料における重量の目標値）を受付部５５２によって受け付け、受付部５５２によって受け付けられたレシピを通信部５１３によって電子天びん１０に送信する。一方、電子天びん１０は、ユーザによって入力されたレシピを通信部１１３による外部装置５０との間の通信によって取得し、通信部１１３によって取得された外部装置５０からのレシピを記憶部１１１によって記憶する。このように、電子天びん１０は、複数種類の試料を調合する際のレシピを、外部装置５０との間の通信によって取得することができる。
【００６６】
また、電子天びん１０は、記憶部１１１に記憶されたレシピおよび天びん設定に基づき測定部１１５によって試料の重量を測定し、測定部１１５によって取得された測定結果を、レシピおよび天びん設定とともに通信部１１３によって外部装置５０に送信する。一方、外部装置５０は、電子天びん１０からの測定結果を、レシピおよび天びん設定に対応付けて記憶する。これにより、電子天びん１０によって得られた測定結果が、測定時に用いられた測定条件および天びん設定に対応付けられて、外部装置５０によって管理される。
【００６７】
＜重量測定システム１における処理＞
図５および図６を参照しながら、重量測定システム１において実行される処理について説明する。
【００６８】
［レシピ設定フェーズにおける処理］
図５は、本実施形態に係る重量測定システム１において実行されるレシピ設定フェーズにおける処理を説明するためのフローチャートである。図５に示される処理ステップ（以下、これを「Ｓ」と略す。）は、図４で示された各機能部によって実現される。
【００６９】
図５に示されるように、電子天びん１０は、キー部２０でレシピの入力操作があったか否かを判定する（Ｓ３１１）。電子天びん１０は、キー部２０でレシピの入力操作があった場合（Ｓ３１１でＹＥＳ）、入力されたレシピを記憶する（Ｓ３１２）。電子天びん１０は、キー部２０でレシピの入力操作がない場合（Ｓ３１１でＮＯ）、レシピの要求操作があったか否かを判定する（Ｓ３１３）。電子天びん１０は、レシピの要求操作がない場合（Ｓ３１３でＮＯ）、Ｓ３１１の処理に移行する。電子天びん１０は、レシピの要求操作があった場合（Ｓ３１３でＹＥＳ）、外部装置５０に対してレシピを要求する（Ｓ３１４）。たとえば、電子天びん１０は、通信ライン４０を介して外部装置５０に対してレシピを要求する旨の要求コマンドを送信する。
【００７０】
一方、外部装置５０は、キーボード５２でレシピの入力操作があったか否かを判定する（Ｓ５１１）。外部装置５０は、レシピの入力操作があった場合（Ｓ５１１でＹＥＳ）、入力されたレシピを記憶する（Ｓ５１２）。外部装置５０は、レシピの入力操作がない場合（Ｓ５１１でＮＯ）、またはＳ５１２の処理の後、電子天びん１０からレシピの要求指令があったか否か、つまり電子天びん１０から要求コマンドを受信したか否かを判定する（Ｓ５１３）。外部装置５０は、電子天びん１０からレシピの要求指令がない場合（Ｓ５１３でＮＯ）、本処理を終了する。外部装置５０は、電子天びん１０からレシピの要求指令があった場合（Ｓ５１３でＹＥＳ）、通信ライン４０を介して電子天びん１０にレシピの情報を含むレシピコマンドを送信する（Ｓ５１４）。つまり、外部装置５０は、Ｓ５１１の処理において新たに入力されたレシピ、あるいは、予め過去に入力されていたレシピを電子天びん１０からの要求指令に従ってレシピコマンドとして送信する。その後、外部装置５０は、本処理を終了する。
【００７１】
一方、電子天びん１０は、外部装置５０からレシピを受信したか否かを、つまり外部装置５０からレシピコマンドを受信したか否かを判定する（Ｓ３１５）。電子天びん１０は、外部装置５０からレシピを受信していない場合（Ｓ３１５でＮＯ）、Ｓ３１５の処理を繰り返す。電子天びん１０は、外部装置５０からレシピを受信した場合（Ｓ３１５でＹＥＳ）、受信したレシピが適正であるか否かを判定する（Ｓ３１６）。
【００７２】
たとえば、電子天びん１０は、電子天びん１０からユーザが直接入力することができるレシピの限界値を超えた値を含むレシピを受信した場合に、外部装置５０から受信したレシピが適正でないと判断する。具体的には、電子天びん１０は、レシピに含まれる目標値が重量センサ１５で測定できない値である場合、またはレシピに含まれる調合に用いられる試料の数または種類が電子天びん１０の許容範囲を超えている場合などに、外部装置５０から受信したレシピが適正でないと判断する。
【００７３】
電子天びん１０は、受信したレシピが適正である場合（Ｓ３１６でＹＥＳ）、受信したレシピを記憶する（Ｓ３１２）。電子天びん１０は、受信したレシピが適正でない場合（Ｓ３１６でＮＯ）、受信したレシピが適正でない旨をユーザに報知する警告画像をディスプレイ１８に表示する（Ｓ３１７）。このように、電子天びん１０は、通常、電子天びん１０から入力可能なレシピの許容範囲を超えたレシピを外部装置５０から受信した場合、受信したレシピを受け付けることなく、ユーザに警告を報知することで、意図しない制御によって電子天びん１０が動作してしまうことを回避しつつ、エラーの発生をユーザに知らせることができる。電子天びん１０は、Ｓ３１２の処理またはＳ３１７の処理の後、本処理を終了する。
【００７４】
［レシピ調合フェーズにおける処理］
図６は、本実施形態に係る重量測定システム１において実行されるレシピ調合フェーズにおける処理を説明するためのフローチャートである。図６に示される処理ステップ（以下、これを「Ｓ」と略す。）は、図４で示された各機能部によって実現される。なお、図６に示す処理においては、風袋引きを省略しているが、試料を測定するごと、または最初の試料を測定する前に限り、風袋引きをするものであってもよい。
【００７５】
図６に示されるように、電子天びん１０は、レシピ調合モードが選択されたか否かを判定する（Ｓ３２１）。電子天びん１０は、レシピ調合モードが選択されていない場合（Ｓ３２１でＮＯ）、Ｓ３２１の処理を繰り返す。電子天びん１０は、レシピ調合モードが選択されている場合（Ｓ３２１でＹＥＳ）、レシピが選択されたか否かを判定する（Ｓ３２２）。電子天びん１０は、レシピが選択されていない場合（Ｓ３２２でＮＯ）、Ｓ３２２の処理を繰り返す。
【００７６】
電子天びん１０は、レシピが選択されている場合（Ｓ３２２でＹＥＳ）、試料における重量の目標値をディスプレイ１８に表示する（Ｓ３２３）。電子天びん１０は、秤量皿１４に風袋が載せられたか否かを判定する（Ｓ３２４）。なお、この処理では、電子天びん１０は、重量センサ１５によって秤量皿１４に掛かる荷重を検出しているか否かに基づいて、秤量皿１４に風袋が載せられているか否かを判定する。
【００７７】
電子天びん１０は、秤量皿１４に風袋が載せられていない場合（Ｓ３２４でＮＯ）、Ｓ３２４の処理を繰り返す。電子天びん１０は、秤量皿１４に風袋が載せられている場合（Ｓ３２４でＹＥＳ）、ゼロ設定・風袋引きキー２５が操作されたか否かを判定する（Ｓ３２５）。電子天びん１０は、ゼロ設定・風袋引きキー２５が操作されていない場合（Ｓ３２５でＮＯ）、Ｓ３２４の処理に戻る。
【００７８】
電子天びん１０は、ゼロ設定・風袋引きキー２５が操作された場合（Ｓ３２５でＹＥＳ）、風袋引きを行いディスプレイ１８に初期値（０ｇ）を表示する（Ｓ３２６）。その後、電子天びん１０は、風袋に試料が載せられたか否かを判定する（Ｓ３２６１）。電子天びん１０は、試料が載せられていない場合（Ｓ３２６１でＮＯ）、Ｓ３２６１の処理を繰り返す。
【００７９】
電子天びん１０は、試料が載せられている場合（Ｓ３２６１でＹＥＳ）、試料における重量の測定が安定しているか否かを判定する（Ｓ３２７）。電子天びん１０は、試料の測定が安定していない場合（Ｓ３２７でＮＯ）、Ｓ３２６１の処理に戻る。電子天びん１０は、試料の測定が安定している場合（Ｓ３２７でＹＥＳ）、安定マーク１８５をディスプレイ１８に表示する（Ｓ３２８）。
【００８０】
電子天びん１０は、ＯＫキー３３が操作されたか否かを判定する（Ｓ３２９）。電子天びん１０は、ＯＫキー３３が操作されていない場合（Ｓ３２９でＮＯ）、Ｓ３２６１の処理に戻る。電子天びん１０は、ＯＫキー３３が操作された場合（Ｓ３２９でＹＥＳ）、測定結果を記憶する（Ｓ３３０）。
【００８１】
電子天びん１０は、レシピで特定される全ての試料の測定が完了したか否かを判定する（Ｓ３３１）。電子天びん１０は、全ての試料の測定が完了していない場合（Ｓ３３１でＮＯ）、Ｓ３２３の処理に移行して、次の試料に対して再びＳ３２３以降の処理を実行する。
【００８２】
電子天びん１０は、全ての試料の測定が完了した場合（Ｓ３３１でＹＥＳ）、全ての試料それぞれにおける重量の測定値が合計された合計値をディスプレイ１８に表示する（Ｓ３３２）。電子天びん１０は、全ての試料それぞれにおける重量の測定結果の情報、および測定時に用いたレシピと天びん設定の情報とを含む結果コマンドを、外部装置５０に送信する（Ｓ３３１）。その後、電子天びん１０は、本処理を終了する。
【００８３】
一方、外部装置５０は、電子天びん１０からレシピおよび天びん設定とともに測定結果を受信したか否か、つまり電子天びん１０から結果コマンドを受信したか否かを判定する（Ｓ５２１）。外部装置５０は、電子天びん１０からレシピおよび天びん設定とともに測定結果を受信した場合（Ｓ５２１でＹＥＳ）、受信した測定結果を、レシピおよび天びん設定に対応付けて記憶する（Ｓ５２２）。外部装置５０は、電子天びん１０からレシピおよび天びん設定とともに測定結果を受信していない場合（Ｓ５２１でＮＯ）、またはＳ５２２の処理の後、本処理を終了する。
【００８４】
＜レシピの内容および天びん設定の内容＞
図７は、本実施形態に係る電子天びん１０において入力可能なレシピの内容および天びん設定の内容を説明するための図である。
【００８５】
図７（ａ）には、レシピの内容が示されている。図７（ａ）に示されるように、ユーザが入力可能なレシピの内容には、「成分名」、「単位」、「目標値」、および「許容誤差値」が含まれる。
【００８６】
「成分名」は、調合される試料の名称であり、ユーザは、たとえば、２０文字以内で成分名を入力することができる。「単位」は、試料の重量を表す単位であり、ユーザは、ｇ（グラム）、ｍｇ（ミリグラム）、ｃｔ（カラット）、ｍｏｍ（匁）、およびｍｏｌなど、複数種類の単位の中から所望の単位を選択することができる。また、ユーザは、選択肢にない任意の単位を入力することもできる。「目標値」は、調合に必要な試料における重量の目標値である。「許容誤差値」は、試料における重量の測定結果と目標値との間の差分が許容される値である。
【００８７】
図７（ｂ）には、天びん設定の内容が示されている。図７（ｂ）に示されるように、ユーザが入力可能な天びん設定には、「ゼロトラッキング機能」、「ゼロ／風袋タイミング変更機能」、「オートゼロ機能」、「オートテア機能」、「はかりとり機能」、「安定性・応答性」、「安定マークの調整」、「日時」、「ユーザＩＤ」、および「天びんＩＤ」が含まれる。
【００８８】
「ゼロトラッキング機能」は、電子天びん１０の通電直後または温度変化などによって起こるゼロ点の変動を補正することで、測定結果１８４の表示を「０」で維持する機能である。ゼロ点とは、測定結果１８４の表示が「０」になることをいう。ユーザは、「ゼロトラッキング機能」を“ＯＮ”または“ＯＦＦ”に設定可能である。
【００８９】
「ゼロ／風袋タイミング変更機能」は、安定マーク１８５の表示を待たずにゼロ点の設定または風袋引きを実行する“即時”、あるいは、安定マーク１８５の表示を待ってからゼロ点の設定または風袋引きを実行する“安定待ち”のいずれかを選択する機能である。ユーザは、「ゼロ／風袋タイミング変更機能」を“即時”または“安定待ち”に設定可能である。
【００９０】
「オートゼロ機能」は、測定後に秤量皿１４に残った試料などの残留物によって起こるゼロ点のずれを自動で補正する機能である。ユーザは、「オートゼロ機能」を“ＯＮ”または“ＯＦＦ”に設定可能である。
【００９１】
「オートテア機能」は、測定結果を出力した後に自動で風袋引きを行う機能である。ユーザは、「オートテア機能」を“ＯＮ”または“ＯＦＦ”に設定可能である。
【００９２】
「はかりとり機能」は、目標値まで試料を測定する作業に適した機能であり、この機能を“ＯＮ”にすると、表示の追従が速くなり、最終的な測定結果を安定させて読み取ることができる。ユーザは、「はかりとり機能」を“ＯＮ”または“ＯＦＦ”に設定可能である。
【００９３】
「安定性・応答性」は、前述した安定性および応答性における設定値を変更する機能である。ユーザは、安定性および応答性における設定値を０〜４の間で変更可能である。なお、前述したように、安定性と応答性とはトレードオフの関係にある。
【００９４】
「安定マークの調整」は、安定マーク１８５を表示させる条件を設定する機能である。ユーザは、「安定マークの調整」において、安定マーク１８５の表示に時間が掛かるが信頼性のあるものにするか、あるいは、安定マーク１８５の表示に時間を掛けずに作業性を優先するものにするかを設定することが可能である。具体的には、測定値の安定時間の判定に用いる安定検出幅として、“０．５”、“１”、“５”、“１０”、“５０”、および“１００”のカウント数が設けられており、ユーザは、これらのカウント数の中から所望のカウント数を選択することができる。また、安定マークの点灯タイミングとして、“標準”および“速い”が設けられており、ユーザは、これらのいずれかを選択することができる。安定検出幅のカウント数が小さければ小さいほど、また安定マークが“標準”に設定されている場合、測定結果の信頼性が高くなる。一方、安定検出幅のカウント数が大きければ大きいほど、また安定マークが“速い”に設定されている場合、測定結果の信頼性が低くなるが作業効率が高くなる。
【００９５】
また、ユーザは、「日時」として、現在日時を設定可能である。ユーザは、「ユーザＩＤ」として、ユーザを識別するユーザ固有の識別情報を設定可能である。さらに、ユーザは、「天びんＩＤ」として、電子天びん１０を識別する電子天びん１０固有の識別情報を設定可能である。なお、「ユーザＩＤ」は、ユーザごとに設けられているため、１つの電子天びん１０において、複数のユーザが個々の「ユーザＩＤ」を設定することができる。一方、「天びんＩＤ」は、電子天びん１０を識別するためのものであるため、ユーザは、１つの電子天びん１０において１つの「天びんＩＤ」のみ設定することができる。
【００９６】
ユーザは、上述したレシピおよび天びん設定における各種の内容を電子天びん１０において自由に入力可能である。なお、ユーザは、レシピについては、外部装置５０においても入力可能である。あるいは、計測の信頼性やトレーサビリティを確保するため、レシピおよび天びん設定の権限を、特定の者（たとえば、管理者）が有する特定の権限（たとえば、管理者権限）に限定してもよい。
【００９７】
なお、図７に示されるレシピおよび天びん設定における各種の内容は、一例であり、レシピおよび天びん設定はその他の内容を含んでいてもよい。
【００９８】
＜測定管理システムの表示の一例＞
図８は、本実施形態に係る外部装置５０における測定管理システムの表示の一例を示す図である。ユーザは、外部装置５０に予めダウンロードされた測定管理システムのプログラムを実行することで、図８に示されるような測定管理システムの画面５１０をディスプレイ５１に表示させることができる。ユーザは、測定管理システムの画面５１０において、レシピを入力することができる。
【００９９】
図８（ａ）に示されるように、測定管理システムの画面５１０には、管理者の名前を入力するための管理者名欄５１０ａと、レシピを識別するためのレシピ番号を入力するためのレシピ番号欄５１０ｂと、レシピ名を入力するためのレシピ名欄５１０ｃと、１番目の試料の成分名を入力するための成分名欄５１０ｄと、１番目の試料の詳細設定を入力するための詳細アイコン５１０ｅと、２番目の試料の成分名を入力するための成分名欄５１０ｆと、２番目の試料の詳細設定を入力するための詳細アイコン５１０ｇと、試料を追加するための追加アイコン５１０ｈと、レシピを確定するための確定アイコン５１０ｉとが表示される。
【０１００】
ユーザは、レシピ番号欄５１０ｂにおいて、これから作成するレシピを識別するレシピ番号を入力することができる。そして、ユーザは、レシピ名欄５１０ｃにおいて所望のレシピ名を入力し、調合に用いる試料の分だけ成分名および詳細を入力することができる。
【０１０１】
たとえば、ユーザが成分１の詳細アイコン５１０ｅを選択すると、図８（ｂ）に示されるように、測定管理システムの画面５１１がディスプレイ５１に表示される。
【０１０２】
図８（ｂ）に示されるように、測定管理システムの画面５１１には、成分名欄５１０ｄにおいて入力した１つ目の試料の成分名が成分名欄５１１ａに表示されている。さらに、測定管理システムの画面５１１には、詳細設定を入力するための欄として、１番目の試料の単位を入力するための単位欄５１１ｂと、１番目の試料の目標値を入力するための目標値欄５１１ｃと、１番目の試料の許容誤差値を入力するための許容誤差値欄５１１ｄと、測定管理システムの画面５１０に戻るための戻るアイコン５１１ｅとが表示される。
【０１０３】
ユーザは、このような測定管理システムの画面５１１において、１番目の試料を詳細に設定することができる。
【０１０４】
このように、ユーザは、測定管理システムを用いて外部装置５０からレシピを入力することができる。そして、外部装置５０から入力されたレシピは、電子天びん１０からの要求に基づき、電子天びん１０に送信される。なお、ユーザは、電子天びん１０において、外部装置５０から入力されたレシピのレシピ番号を選択することで、選択されたレシピ番号に対応するレシピが、外部装置５０から電子天びん１０に送信される。
【０１０５】
＜外部装置における記憶内容の変化の一例＞
図９は、本実施形態に係る外部装置５０における記憶内容の変化の一例を示す図である。図９においては、電子天びん１０において取得された測定結果が電子天びん１０から外部装置５０に送信された場合における記憶内容の変化の一例が示されている。
【０１０６】
図９に示されるように、外部装置５０には、レシピごとに測定結果を管理する管理テーブルが記憶されている。管理テーブルには、レシピに含まれる試料ごとに、成分名、単位、目標値、および許容誤差値が格納されている。これら各設定内容は、図８に示された測定管理システムにおいて入力されることで、管理テーブルに格納される。
【０１０７】
図９（ａ）には、電子天びん１０から外部装置５０に測定結果など（測定結果、レシピ、天びん設定）が送信される前の管理テーブルが示されている。電子天びん１０から外部装置５０に未だ測定結果などが送信されていないため、測定結果および天びん設定の各項目（ゼロトラッキング機能、ゼロ／風袋タイミング変更機能、オートゼロ機能、オートテア機能、はかりとり機能、安定性・応答性、安定マークの調整、日時、ユーザＩＤ、天びんＩＤ）については、設定内容が未だ格納されていない。一方、レシピについては、外部装置５０から入力されるため、予め管理テーブルに格納されている。なお、管理テーブルによって管理される天びん設定の各項目は、管理者のみが変更とし、ユーザは変更できないようにしてもよい。
【０１０８】
図９（ｂ）には、電子天びん１０から外部装置５０に測定結果などが送信された後の管理テーブルが示されている。図９（ｂ）に示されるように、電子天びん１０から外部装置５０に測定結果などが送信された後においては、レシピ調合モードで測定された試料ごとの測定結果が、測定時に用いられたレシピおよび天びん設定に対応付けられて格納されている。測定結果としては、測定値と、測定値と目標値との差が許容範囲内であるか否かの判定結果（判定ボックス１８７で示される判定結果）が格納される。
【０１０９】
ここで、外部装置５０は、測定結果とレシピとを対応付けて記憶する際、レシピ番号を手掛かりにする。たとえば、電子天びん１０は、レシピおよび天びん設定とともに測定結果を外部装置５０に送信する際、レシピに対応するレシピ番号も外部装置５０に送信する。外部装置５０は、予め記憶していた複数のレシピの中から、電子天びん１０から取得したレシピ番号に対応するレシピを特定し、当該レシピに対応付けて測定結果および天びん設定を記憶する。なお、外部装置５０は、予め管理テーブルにレシピを格納することなく、電子天びん１０から取得したレシピおよび天びん設定を、そのまま測定結果に対応付けて記憶してもよい。
【０１１０】
このように、ユーザは、レシピおよび天びん設定とともに測定結果を、外部装置５０に記憶させることができるため、どのような内容のレシピに基づき試料が測定されたのか、およびどのような内容の天びん設定に基づき試料が測定されたのかについて、外部装置５０において管理することができる。特に、管理者の指示に基づき測定者が電子天びん１０を用いて試料を測定する場合、たとえば後日に調合の間違いが発覚した場合でも、管理者は、外部装置５０の記憶内容を確認することで、正しいレシピおよび天びん設定で測定者が試料を測定したか否かについて、判断することができる。
【０１１１】
また、ユーザは、電子天びん１０から取得したユーザＩＤを、外部装置５０に記憶させることができるため、どのユーザによって試料が測定されたのかについて、外部装置５０で管理することができる。特に、管理者の指示に基づき測定者が電子天びん１０を用いて試料を測定する場合、たとえば後日に調合の間違いが発覚した場合でも、管理者は、外部装置５０の記憶内容を確認することで、試料を測定した測定者を特定することができる。
【０１１２】
さらに、ユーザは、電子天びん１０から取得した天びんＩＤを、外部装置５０に記憶させることができるため、どの電子天びん１０によって試料が測定されたのかについて、外部装置５０で管理することができる。特に、管理者の指示に基づき測定者が電子天びん１０を用いて試料を測定する場合、たとえば後日に調合の間違いが発覚した場合でも、管理者は、外部装置５０の記憶内容を確認することで、試料を測定した電子天びん１０を特定することができる。これにより、電子天びん１０に不具合が生じているのか、あるいはレシピの内容に誤りがあるのかなど、管理者は、外部装置５０の記憶内容を手掛かりに、調合の間違いの原因を究明することができる。
【０１１３】
以上のように、管理者は、複数の電子天びん１０について、レシピごとに、レシピや天びん設定の内容、測定者の識別情報、および測定時に用いられた電子天びん１０の識別情報を、一元管理することで、調合の間違いが発覚した場合でも、外部装置５０の記憶内容を手掛かりに後から原因を究明することができる。このように本実施の形態に係る電子天びん１０および重量測定システム１によれば、試料の調合の間違いに対するトレーサビリティを実現することができる。
【０１１４】
また、ユーザは、電子天びん１０のディスプレイ１８の表示領域よりも大きい表示領域を有する外部装置５０のディスプレイ５１を見ながら、さらに、電子天びん１０のキー部２０の操作領域よりも大きい操作領域を有しかつ操作性のよい外部装置５０のキーボード５２を操作してレシピを入力することができるため、間違ったレシピを入力することを極力避けることができる。
【０１１５】
ユーザは、電子天びん１０の記憶容量よりも記憶容量の大きい外部装置５０において、測定結果に対応付けてレシピおよび天びん設定を記憶させることができるため、トレーサビリティに用いることができる測定結果などの履歴をより多く残すことができる。
【０１１６】
ユーザは、外部装置５０において測定結果を履歴として残すことができるため、外部装置５０においてＩＤおよびパスワード設定などによって外部装置５０に対するアクセス制限を掛けることで、第三者による測定結果の改ざんおよび削除を防ぐことができる。
【０１１７】
ユーザは、１台の外部装置５０によって、複数の電子天びん１０における測定結果の履歴をレシピおよび天びん設定とともに残すことができるため、電子天びん１０ごとに外部装置５０を設ける必要がなく、設置スペースを最小にでき、また、コストも削減することができる。
【０１１８】
＜主な構成＞
次に、本実施の形態に係る電子天びん１０および重量測定システム１の主な構成を説明する。
【０１１９】
本実施の形態に係る電子天びん１０は、複数種類の試料を調合する際のレシピを記憶する記憶部１１１と、記憶部１１１によって記憶されたレシピに基づき重量の目標値を表示する表示部１１８と、試料の重量を測定する測定部１１５と、外部装置５０と通信する通信部１１３とを備え、通信部１１３は、ユーザによって入力されたレシピを外部装置５０との間の通信によって取得し、記憶部１１１は、通信部１１３によって取得された外部装置５０からのレシピを記憶する。
【０１２０】
上記の構成によれば、電子天びん１０は、複数種類の試料を調合する際の各試料における重量の目標値を、外部装置５０との間の通信によって取得して表示することができる。これにより、ユーザは、外部装置５０にレシピを入力させればよいため、電子天びんにおいてレシピを入力する必要がない。また、ユーザは、電子天びんにおいてレシピを予め記憶させる必要もない。このように、利便性の高い電子天びんが提供される。
【０１２１】
表示部１１８は、複数種類の試料のうちの一の試料の目標値を表示し、測定部１１５は、一の試料を測定して測定結果が適正であるか否かを判定し、その後、表示部１１８は、複数種類の試料のうちの他の試料の目標値を表示し、測定部１１５は、他の試料を測定して測定結果が適正であるか否かを判定する。
【０１２２】
上記の構成によれば、ユーザは、表示部１１８に表示された各試料の目標値に従って試料を順番に測定することで、複数種類の試料を適正に調合することができる。
【０１２３】
通信部１１３は、測定部１１５によって得られた測定結果を特定する情報を外部装置５０に送信する。
【０１２４】
上記の構成によれば、測定結果を特定する情報が電子天びん１０から外部装置５０に送信されるため、ユーザは、測定結果を外部装置５０に記憶させて管理することができる。
【０１２５】
通信部１１３は、測定結果を特定する情報を、レシピを特定する情報とともに外部装置５０に送信する。
【０１２６】
上記の構成によれば、レシピを特定する情報とともに測定結果を特定する情報が電子天びん１０から外部装置５０に送信されるため、ユーザは、レシピとともに測定結果を外部装置５０に記憶させて管理することができる。
【０１２７】
通信部１１３は、測定結果を特定する情報を、測定日時を特定する情報、電子天びん１０が有する固有の識別情報である天びんＩＤ、およびユーザを特定するユーザＩＤとともに外部装置５０に送信する。なお、通信部１１３は、測定結果を特定する情報を、測定日時を特定する情報、電子天びん１０が有する固有の識別情報である天びんＩＤ、およびユーザを特定するユーザＩＤの少なくともいずれかとともに外部装置５０に送信してもよい。
【０１２８】
上記の構成によれば、測定日時を特定する情報、天びんＩＤ、およびユーザＩＤの少なくともいずれかとともに測定結果を特定する情報が電子天びん１０から外部装置５０に送信されるため、ユーザは、測定日時、天びんＩＤ、またはユーザＩＤとともに測定結果を外部装置５０に記憶させて管理することができる。
【０１２９】
本実施の形態に係る重量測定システム１は、試料の重量を測定する電子天びん１０と、電子天びん１０と通信する外部装置５０とを備え、電子天びん１０は、複数種類の試料を調合する際のレシピを記憶する記憶部１１１と、記憶部１１１によって記憶されたレシピに基づき重量の目標値を表示する表示部１１８と、試料の重量を測定する測定部１１５と、外部装置５０と通信する通信部１１３とを含み、外部装置５０は、ユーザによって入力されたレシピを受け付ける受付部５５２を含み、受付部５５２によって受け付けられたレシピを電子天びん１０に送信し、通信部１１３は、ユーザによって入力されたレシピを外部装置５０との間の通信によって取得し、記憶部１１１は、通信部１１３によって取得された外部装置５０からのレシピを記憶する。
【０１３０】
上記の構成によれば、電子天びん１０は、複数種類の試料を調合する際の各試料における重量の目標値を、外部装置５０との間の通信によって取得して表示することができる。これにより、ユーザは、外部装置５０にレシピを入力させればよいため、電子天びん１０においてレシピを入力する必要がない。また、ユーザは、電子天びん１０においてレシピを予め記憶させる必要もない。このように、利便性の高い電子天びん１０を備えた重量測定システム１が提供される。
【０１３１】
通信部１１３は、測定部１１５によって得られた測定結果を特定する情報を外部装置５０に送信し、外部装置５０は、電子天びんからの測定結果を特定する情報を、レシピに対応付けて記憶する。
【０１３２】
上記の構成によれば、電子天びん１０から送信された測定結果を特定する情報が、レシピに対応付けられて外部装置５０に記憶されるため、ユーザは、測定結果をレシピに対応付けて外部装置５０に記憶させて管理することができる。
【０１３３】
通信部１１３は、測定結果を特定する情報を、電子天びん１０が有する固有の識別情報である天びんＩＤとともに外部装置５０に送信し、外部装置５０は、複数の電子天びん１０との間で通信し、複数の電子天びん１０それぞれからの測定結果を特定する情報および天びんＩＤを、複数の電子天びん１０それぞれにおけるレシピに対応付けて記憶する。
【０１３４】
上記の構成によれば、複数の電子天びん１０それぞれから送信された測定結果を特定する情報および天びんＩＤが、レシピに対応付けられて外部装置５０に記憶されるため、ユーザは、複数の電子天びん１０ごとに、測定結果をレシピに対応付けて外部装置５０に記憶させて管理することができる。
【０１３５】
外部装置５０は、電子天びん１０からの要求に従って受付部５５２によって受け付けられたレシピを電子天びんに送信する。
【０１３６】
上記の構成によれば、ユーザによって入力されたレシピが、電子天びん１０からの要求に従って外部装置５０から電子天びん１０に送信されるため、電子天びん１０が外部装置５０から離れた場所に位置する場合でも、ユーザは、外部装置５０からの目標値を電子天びん１０に入力させることができる。
【０１３７】
＜変形例＞
以上、本発明の実施形態を図面により説明してきたが、本発明はこの実施形態に限定されるものではない。本発明は、上記の実施例に限られず、種々の変形、応用が可能である。以下、本発明に適用可能な変形例などについて説明する。
【０１３８】
本実施の形態においては、図５に示すＳ３１４の処理のように、電子天びん１０から外部装置５０にレシピが要求されたことを条件に、外部装置５０から電子天びん１０にレシピが送信されるものであった。このように構成されている理由は、測定時において、ユーザが電子天びん１０の近くにいることが多いためである。しかし、外部装置５０のキーボード５２によってユーザによる送信操作が受け付けられたことを条件に、外部装置５０が電子天びん１０にレシピを送信してもよい。
【０１３９】
本実施の形態においては、図６に示すＳ３３１の処理のように、調合される全ての試料の測定が完了した後に、電子天びん１０から外部装置５０にレシピとともに測定結果が送信されるものであった。しかし、調合される各試料の測定が完了するごと（たとえば、Ｓ３３０の処理の直後）に電子天びん１０から外部装置５０に測定結果が送信されてもよい。なお、レシピについては、各試料の測定が完了するごとに送信されてもよいし、全ての試料の測定が完了した後に送信されてもよい。
【０１４０】
本実施の形態においては、電子天びん１０から外部装置５０に送信結果が送信される際、レシピも同時に送信されるものであった。しかし、外部装置５０は、既にレシピを記憶しているため、必ずしも電子天びん１０から外部装置５０にレシピを送信しなくてもよい。少なくとも、測定時に用いたレシピを特定可能な情報（たとえば、レシピ番号など）が電子天びん１０から外部装置５０に送信されればよい。このような場合でも、外部装置５０は、電子天びん１０から受信したレシピ番号に対応するレシピを、自身が記憶するレシピの中から特定して、測定結果とともに記憶することができる。
【０１４１】
本実施の形態においては、電子天びん１０および外部装置５０のいずれにおいても、ユーザがレシピを入力することができるものであった。しかし、電子天びん１０においては、ユーザがレシピを入力することができないように電子天びん１０が構成されてもよい。たとえば、外部装置５０において管理者が入力したレシピのみを操作者に使わせたい場合、電子天びん１０において管理者の操作に基づきレシピの入力、改ざん、および削除などを禁止することができるように電子天びん１０が構成されてもよい。具体的には、電子天びん１０が所定のコマンド（またはコード）の入力を受け付けた場合に、電子天びん１０自体でレシピの入力、変更、および削除をするためのキー操作が無効となるように、電子天びん１０の制御部１１０が制御してもよい（たとえば、図５のＳ３１１の判断ステップを無効とする）。所定のコマンド（またはコード）は、電子天びん１０の受付部１１２によって受け付けられてもよく、あるいは、電子天びん１０の通信部１１３によって外部装置５０から取得されてもよい。
【０１４２】
本実施の形態においては、電子天びん１０から外部装置５０に測定結果が送信される際、レシピおよび天びん設定も送信されるものであった。しかし、レシピおよび天びん設定の他に、環境条件なども電子天びん１０から外部装置５０に送信されてもよい。環境条件としては、たとえば、測定時の環境（温度、湿度、気圧など）、測定場所、イオナイザの種類、風袋の種類、風防ケースの種類、測定時における電子天びん１０の通電時間などが挙げられる。
【０１４３】
本実施の形態においては、ユーザは、外部装置５０からレシピを入力するものであった。しかし、ユーザは、外部装置５０ではなく、その他のコンピュータ装置からレシピを入力し、そのレシピがコンピュータ装置から外部装置５０に送信されることで、外部装置５０にレシピが記憶されてもよい。また、ユーザによって入力されたレシピは、クラウド上のサーバに集約されてビッグデータとして蓄積されてもよい。この場合、外部装置５０は、クラウド上のサーバからレシピを取得し、取得したレシピを記憶してもよい。そして、外部装置５０は、記憶したレシピを電子天びん１０に送信してもよい。つまり、電子天びん１０は、外部装置５０を経由してクラウド上のサーバからレシピを取得してもよい。
【０１４４】
今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。なお、本実施の形態で例示された構成および変形例で例示された構成は、適宜組み合わせることができる。
【符号の説明】
【０１４５】
１  重量測定システム、１０，１０ａ，１０ｂ，１０ｃ  電子天びん、１２  秤量室、１３  シールドプレート、１４  秤量皿、１５  重量センサ、１６  イオナイザ用取付口、１７  水平調整足、１８，５１  ディスプレイ、１９  操作パネル、２０  キー部、３２  水準器、４０，４０ａ，４０ｂ，４０ｃ  通信ライン、５０  外部装置、５２  キーボード、５３  コンピュータ本体、１０１，５０１  ＲＯＭ、１０２，５０２  ＲＡＭ、１０３，５０３  通信インターフェイス、１１０，５１０  制御部、１１１，５１１  記憶部、１１２，５５２  受付部、１１３，５１３  通信部、１１５  測定部、１１８，５５１  表示部。
【図１】
2020038079.tif 000003
【図２】
2020038079.tif 000004
【図３】
2020038079.tif 000005
【図４】
2020038079.tif 000006
【図５】
2020038079.tif 000007
【図６】
2020038079.tif 000008
【図７】
2020038079.tif 000009
【図８】
2020038079.tif 000010
【図９】
2020038079.tif 000011